(57)【要約】【課題】床パネルから階下への音の伝播を少なくでき、経済的で、かつ、床パネルの壁面に近い部分の剛性も確保可能な床下地構造を提供する。【解決手段】本発明の床下地構造は、床スラブ２に設置された支持脚３と支持脚３により支持された床パネルとを備えた床下地構造１において、壁際に配置される床パネル４Ａの壁面１０に近い部分（壁面近傍部分１１）に補強材１２を備え、補強材１２と床スラブ２とが非接触状態となるように、床パネル４Ａの下面７Ａが支持脚３により支持されたことを特徴とする。【選択図】図１
2009091731.tif 000002
【特許請求の範囲】
【請求項１】
床スラブに設置された支持脚と支持脚により支持された床パネルとを備えた床下地構造において、壁際に配置される床パネルの壁面に近い部分に補強材を備え、補強材と床スラブとが非接触状態となるように、床パネルの下面が支持脚により支持されたことを特徴とする床下地構造。
【請求項２】
補強材が、床パネルから床スラブに向かって延長するように設けられたことを特徴とする請求項１に記載の床下地構造。
【請求項３】
補強材が、床パネルの壁面に近い部分の下面に取付けられて床パネルの下面に沿って壁面より離れる方向に延長するように設けられたことを特徴とする請求項１に記載の床下地構造。
【請求項４】
補強材が、床パネルの壁面に近い部分の下面に取付けられて床パネルから床スラブに向かって延長するとともに、床パネルの下面に沿って壁面より離れる方向に延長するように設けられたことを特徴とする請求項１に記載の床下地構造。
【請求項５】
複数の補強材が、壁面に沿って間欠的に並ぶように設けられたことを特徴とする請求項１乃至請求項４のいずれかに記載の床下地構造。
【請求項６】
床パネルの端面と壁面とが非接触状態となるように、床パネルが支持脚により支持されたことを特徴とする請求項１乃至請求項５のいずれかに記載の床下地構造。
【発明の詳細な説明】
【技術分野】
【０００１】
本発明は、二重床における床下地構造に関する。
【背景技術】
【０００２】
室内の壁際に配置される床パネルの壁面側端部を、釘などで壁に固定された際根太、あるいは、システム根太と言われるもので支持した床下地構造が知られている（例えば、特許文献１；２等参照）。システム根太は、壁面に沿って延長した所定長さの根太材と根太材の長手方向の両方の端部にそれぞれ設けられた支持脚部とにより構成される。支持脚部は、床スラブに設置される防振ゴムと、下部が防振ゴムに取付けられた例えば金属製の支柱とにより形成される。支柱の上部の外周面は雄ねじ部に形成される。根太材の端部には根太材の上下面に貫通する貫通孔を備え、この貫通孔内には上下に貫通する金属製の筒が設けられ、この筒の内周面は雌ねじ部に形成される。システム根太は、雄ねじ部の雄ねじと雌ねじ部の雌ねじとのねじ嵌合により根太材が支柱に対して上下に移動可能に構成され、根太材の高さを調整可能である。
【特許文献１】特開２０００−０２７４１６号公報
【特許文献２】特開２０００−１０４３９３号公報
【発明の開示】
【発明が解決しようとする課題】
【０００３】
しかしながら、上記床下地構造によれば、音が床パネルから際根太やシステム根太を経由して階下に伝播してしまう。システム根太を用いた場合には、防振ゴムによって音の伝播を小さくできるが、システム根太は、上述したように根太材の両端部を支持脚部で支持した特殊な構成の部品なので、コスト高となる。
本発明は、上記課題に鑑みてなされたもので、床パネルから階下への音の伝播を少なくでき、経済的で、かつ、床パネルの壁面に近い部分の剛性も確保可能な床下地構造を提供する。
【課題を解決するための手段】
【０００４】
本発明の床下地構造は、床スラブに設置された支持脚と支持脚により支持された床パネルとを備えた床下地構造において、壁際に配置される床パネルの壁面に近い部分に補強材を備え、補強材と床スラブとが非接触状態となるように、床パネルの下面が支持脚により支持されたことを特徴とする。
補強材が、床パネルから床スラブに向かって延長するように設けられたことも特徴とする。
補強材が、床パネルの壁面に近い部分の下面に取付けられて床パネルの下面に沿って壁面より離れる方向に延長するように設けられたことも特徴とする。
補強材が、床パネルの壁面に近い部分の下面に取付けられて床パネルから床スラブに向かって延長するとともに、床パネルの下面に沿って壁面より離れる方向に延長するように設けられたことも特徴とする。
複数の補強材が、壁面に沿って間欠的に並ぶように設けられたことも特徴とする。
床パネルの端面と壁面とが非接触状態となるように、床パネルが支持脚により支持されたことも特徴とする。
【発明の効果】
【０００５】
本発明の床下地構造によれば、壁際に配置される床パネルの壁面に近い部分に補強材を備え、補強材と床スラブとが非接触状態となるように、床パネルの下面が支持脚により支持されたので、床パネルから階下への音の伝播を少なくでき、経済的で、かつ、床パネルの壁面に近い部分の剛性も確保可能な床下地構造を提供できる。
補強材が床パネルから床スラブに向かって延長するように設けられたので、床パネルから床スラブに向かう方向に延長する補強材の長さを長くすることによって、床パネルの壁面に近い部分の剛性を向上できる。
補強材が床パネルの下面に沿って壁面より離れる方向に延長するように設けられたので、床パネルの壁面に近い部分をより広い範囲で補強可能となる。
補強材が、床パネルから床スラブに向かって延長するとともに、床パネルの下面に沿って壁面より離れる方向に延長するように設けられたので、床パネルの壁面に近い部分をより広い範囲でより効果的に補強可能となる。
複数の補強材が、壁面に沿って間欠的に並ぶように設けられたので、補強材のコスト低減が可能となる。
床パネルの端面と壁面とが非接触状態となるように、床パネルが支持脚により支持されたので、床パネルの端面と壁面とが擦れあうことによる擦れ音の発生を防止できる。
【発明を実施するための最良の形態】
【０００６】
最良の形態１
図１及び図２は最良の形態１を示し、図１は床下地構造を備えた二重床の断面を示し、図２は床パネル及び支持脚の配置例を上から見て示す。
【０００７】
図１に示すように、床下地構造１は、床スラブ２に設置された複数の支持脚３と、支持脚３により支持された複数の床パネル４と、補強材１２とにより形成される。床パネル４としては、例えば、長辺の長さ１８２０ｍｍ、短辺の長さ６００ｍｍ、厚さ２０ｍｍの長方形平板状に形成されたボードが使用される。複数の床パネル４が部屋や廊下のような室内５の床レベル面上に並ぶように敷設され、隣り合う床パネル４同士は、端面６同士が隙間ｅを介して離されて配置される。隙間ｅは、１５ｍｍ〜２０ｍｍ程度である。図示しないが端面６同士が互いに接触し合うように配置される場合もある。床スラブ２に設置される支持脚３は、台座３３が、互いに隣り合う各々の床パネル４の下面７に跨るように配置されたり、台座３３が、１つの床パネル４の下面７に位置するように配置される。支持脚３の台座３３と床パネル４とが釘などの固定具によって互いに連結される。複数の支持脚３の設置間隔は、例えば、３００ｍｍ〜６００ｍｍ程度に決められる。
【０００８】
室内５の壁際に配置される床パネル（以下、壁際床パネルという）４Ａにおける壁面１０に近い部分（以下、壁面近傍部分という）１１の下面７Ａには、補強材１２が取付けられる。補強材１２は、壁面１０に沿った方向に延長するとともに、壁際床パネル４Ａの下面７Ａより床スラブ２に向かって延長するように設けられる。補強材１２は、壁側床パネル４Ａの壁面近傍部分１１の下面７Ａに強固に一体化されるように取付けられる。例えば、補強材１２と壁側床パネル４Ａとが、釘、ビス、ステープル、接着剤のうちの１つあるいは２つ以上の併用によって、互いに強固に一体化するように取付けられる。壁際床パネル４Ａと上記補強材１２とにより、壁際補強床パネルが形成される。図１に示すように、補強材１２は、例えば、壁面１０と向かい合う一方の面１３と壁面１０に対して隙間ａを隔てて配置される壁際床パネル４Ａの壁側端面６Ａとが面一となるように、壁際床パネル４Ａの下面７Ａに取付けられ、壁際床パネル４Ａの下面７Ａと直交する方向に延長する。壁際床パネル４Ａの下面７Ａに取付けられた補強材１２の下端１６と床スラブ２との間には間隔ｂが設けられる。
【０００９】
即ち、補強材１２と床スラブ２とが間隔ｂを隔てて非接触状態となり、かつ、壁際床パネル４Ａの壁側端面６Ａと壁面１０とが隙間ａを隔てて非接触状態となるように、壁側床パネル４Ａの下面７Ａが支持脚３により支持され、補強材１２の下端１６が支持脚３により支持されていない構成とした。
つまり、壁側床パネル４Ａの壁面近傍部分１１に荷重が加わった場合でも、補強材１２の下端１６と床スラブ２とが互いに接触しないように、壁際床パネル４Ａを支持する支持脚３の配置位置や、補強材１２の上下方向に延長する長さｃが設定される。
よって、補強材１２の下端１６が支持脚３により支持されておらず、補強材１２と床スラブ２とが間隔ｂを隔てて非接触状態であるため、壁側床パネル４Ａから補強材１２に伝わる音が床スラブ２に伝わらない。
また、壁際床パネル４Ａの壁側端面６Ａと壁面１０とを隙間ａを隔てて非接触状態としたことで、壁側床パネル４Ａの壁面近傍部分１１に荷重が加わって壁面近傍部分１１が上下に動いたとしても壁側端面６Ａと壁面１０とが擦れあうことが防止されるため、擦れ音の発生を防止できる。
【００１０】
床下地構造１における、壁際床パネル４Ａの壁面近傍部分１１の剛性は、補強材１２の上下方向（壁際床パネル４Ａの下面７Ａより床スラブ２に向かう方向）に延長する長さｃの２乗に比例して大きくなるので、長さｃを長くすることで、壁際床パネル４Ａの壁面近傍部分１１の剛性を向上できる。
よって、補強材１２の上下方向に延長する長さｃを調整することによって、壁際床パネル４Ａの壁面近傍部分１１に所望の剛性を与えることができるようになり、また、壁際床パネル４Ａを支持する支持脚であって壁面１０に近い位置に設置する支持脚３Ａの配置位置を調整することによって、壁際床パネル４Ａの壁面近傍部分１１の荷重に対する沈み込み量を調整することが可能となる。
例えば、床スラブ２と壁側床パネル４Ａの下面７Ａとの間隔ｂが１５０ｍｍ〜２００ｍｍ程度の場合には、壁面１０に近い位置に設置する支持脚３Ａを、壁面１０から２００ｍｍ程度離れた位置に設置し、かつ、補強材１２の上下方向に延長する長さｃを５０ｍｍから１００ｍｍ程度にする。隙間ａは５ｍｍ〜１０ｍｍ程度である。
【００１１】
補強材１２としては、パーティクルボード、木材、石膏ボード、金属、中密度繊維板（MDF (medium density fiberboard)、木質系建材、断熱性建材、樹脂、紙などにより形成されたものを用いればよい。
【００１２】
支持脚３は、床スラブ２に設置される防振ゴム３１と、下部が防振ゴムに取付けられて防振ゴムに支持される例えば金属製の支柱３２と、支柱の上端部に設けられた台座３３とを備える。支柱３２の上部の外周面は図外の雄ねじ部に形成される。台座３３は、例えばパーティクルボードや合板などで形成される。台座３３は、台座３３の上下面に貫通する図外の貫通孔を備え、この貫通孔内には上下に貫通する図外の金属製の筒３４が設けられ、この筒３４の内周面は図外の雌ねじ部に形成される。つまり、支持脚３は、雄ねじ部の雄ねじと雌ねじ部の雌ねじとのねじ嵌合により台座３３が支柱３２に対して上下に移動可能に構成され、台座３３の高さを調整可能である。室内５の壁際に配置される支持脚３Ａの防振ゴム３１Ａ（３１）の硬度は、室内５の中央側に配置される支持脚３の防振ゴム３１の硬度よりも硬い。
【００１３】
以上のように構成された床下地構造１における床パネル４の上面に、図１に示すように、下地材２１が設けられ、その下地材２１の上に仕上げ材２２が設けられることによって、床スラブ２と、支持脚３と、床パネル４と、下地材２１と、仕上げ材２２とを備えた二重床２０が構成される。下地材２１と壁面１０との間、及び、仕上げ材２２と壁面１０との間にも隙間ｇを設ける。これら隙間ｇは２ｍｍ〜５ｍｍ程度である。
【００１４】
床パネル４、下地材２１、仕上げ材２２の材質や形状などは特に限定されないが、床パネル４は、例えばパーティクルボードにより形成され、下地材２１は、例えば合板により形成され、仕上げ材２２は、例えば、フローリングやカーペットにより形成される。
【００１５】
最良の形態１の床下地構造１によれば、壁側床パネル４Ａの壁面近傍部分１１の下面７Ａに強固に一体化されるように取付けられた補強材１２と床スラブ２とが間隔ｂを隔てて非接触状態となり、かつ、壁際床パネル４Ａの壁側端面６Ａと壁面１０とが隙間ａを隔てて非接触状態となるように、壁側床パネル４Ａの下面７Ａが支持脚３により支持され、補強材１２の下端１６が支持脚３により支持されていない構成としたので、壁際床パネル４Ａから階下への音の伝播を少なくできる。また、壁側床パネル４Ａの壁面近傍部分１１をシステム根太や支持脚３で支持しない構成とできて経済的であるとともに、壁側床パネル４Ａの壁面近傍部分１１をシステム根太や支持脚３で支持しない構成でも、補強材１２を備えたことによって壁際床パネル４Ａの壁面近傍部分１１の剛性を確保できるようになる。
【００１６】
最良の形態２
図３；４に示すように、補強材１２が壁側床パネル４Ａの下面７Ａに沿って壁面１０より離れる方向Ｘに延長するように設けられた構成の床下地構造１としてもよい。
最良の形態２によれば、壁際床パネル４Ａの壁面近傍部分１１をより広い範囲で補強可能となる。
【００１７】
最良の形態３
図３；４に示す最良の形態２の構成においては、補強材１２の上下方向に延長する長さｃが短い場合には、壁際床パネル４Ａの壁面近傍部分１１に対する補強効果が小さいので、最良の形態２の構成において、補強材１２の上下方向に延長する長さｃを長くする。即ち、補強材１２が、壁際床パネル４Ａの下面７Ａより床スラブ２に向かって延長するとともに、壁際床パネル４Ａの下面７Ａに沿って壁面１０より離れる方向Ｘに延長するように設けられた構成としてもよい。
最良の形態３によれば、壁際床パネル４Ａの壁面近傍部分１１をより広い範囲でより効果的に補強可能となる。
【００１８】
最良の形態４
各実施の形態１乃至３では、図２や図４に示すように、補強材１２として、室内５の壁面１０に沿った壁際床パネル４Ａの壁面近傍部分１１の下面７Ａに連続して延長するような補強材１２を用いる例を示したが、壁際床パネル４Ａの壁面近傍部分１１の下面７Ａに、室内５の壁面１０に沿って複数の補強材１２を間欠的に設けるようにしてもよい。
最良の形態４によれば、細切れの補強材１２を用いることができるようになって補強材１２の材料コストを低減できる。また、一部の箇所に補強材１２を集中して設けたり設けなかったりすることができるようになり、壁際床パネル４Ａの壁面近傍部分１１の特定の部分の剛性を大きくしたり小さくしたりできる。つまり、設計や施工の自由度が増す。
【００１９】
最良の形態５
最良の形態３の場合において、壁際床パネル４Ａの下面７Ａより床スラブ２に向かって延長するとともに、壁際床パネル４Ａの下面７Ａに沿って壁面１０より離れる方向Ｘに延長するように設けられた補強材１２として、断面矩形状の柱状のようなものを用いた場合、補強材１２のコストが高くなるので、図５に示すように、Ｈ型形状に形成された補強材１２を複数用意して、壁際床パネル４Ａの壁面近傍部分１１の下面７Ａに、室内５の壁面１０に沿って複数の補強材１２を連続的又は間欠的に設けるようにしてもよい。
即ち、最良の形態５によれば、連続的又は間欠的に設けられた補強材１２がＨ型形状に形成されたことにより、補強材１２が壁際床パネル４Ａの下面７Ａより床スラブ２に向かって延長するとともに、壁際床パネル４Ａの下面７Ａに沿って壁面１０より離れる方向に延長するように設けられた構成となるので、最良の形態３と同様な補強効果を最良の形態３と比べて経済的に実現できるようになる。
【００２０】
最良の形態６
図６に示すように、壁際床パネル４Ａの端部４１を壁際床パネル４Ａの下面７Ａに対して垂直に折曲させやすくするための溝３６を壁際床パネル４Ａの下面７Ａに形成しておいて、施工時において、溝３６の相対向する傾斜面３７：３７同士が互いに接着剤で接着されるように溝を基準として端部４１を折り曲げることにより、端部４１が壁際床パネル４Ａの壁面近傍部分１１の下面７Ａに取付けられた補強材１２として機能するように構成された壁際床パネル４Ａを用いてもよい。この場合、補強材１２の搬入作業及び取付作業を容易にでき、施工を簡単にできる。
【００２１】
最良の形態７
図７に示すように、補強材１２として、紙を加工してハニカム形状に形成された補強材１２を用いても良い。このハニカム形状に形成された補強材１２の孔４２の一方の開口縁部４３と壁際床パネル４Ａの壁面近傍部分１１の下面７Ａとが接着剤などで接着された構成とする。この場合、安価な紙を用いて補強効果を得ることができるので、経済的となる。
【００２２】
尚、本発明で言う壁側床パネル４Ａの壁面近傍部分１１とは、壁際床パネル４Ａの壁面近傍部分１１の下面７Ａの他、壁際床パネル４Ａの壁側端面６Ａも含む。従って、本発明で言う壁際床パネル４Ａの壁面近傍部分１１に補強材１２を備えたと言う意味は、壁面１０と向かい合う補強材１２の面１３と壁際床パネル４Ａの壁側端面６Ａとが面一となるように補強材１２が壁際床パネル４Ａの下面７Ａに取付けられた形態の他、図８（ａ）に示すように、補強材１２の面１３と対向する面１４の上端部１５と壁際床パネル４Ａの壁側端面６Ａとが互いに接触した状態に取り付けられた形態、図８（ｂ）；（ｃ）に示すように、補強材１２の面１３と壁際床パネル４Ａの壁側端面６Ａとが互いに段差面５１；５２を形成するように壁際床パネル４Ａの下面７Ａと補強材１２の上端面５５とが互いに接触した状態に取付けられた形態も含む。この段差面５１；５２間の段差長Ｓは、例えば、１０ｍｍ以下とする。
【００２３】
また、各最良の形態において、壁際床パネル４Ａの壁側端面６Ａと壁面１０とが互いに接触した構成の床下地構造としてもよい。つまり、壁際床パネル４Ａの壁側端面６Ａと壁面１０との間、下地材２１と壁面１０との間、及び、仕上げ材２２と壁面１０との間に、隙間ｇを設けず、両者を互いに接触させた構成の二重床としてもよい。
【産業上の利用可能性】
【００２４】
床パネル４の上に下地材２１を設けずに床パネル４の上に仕上げ材２２を直接設けることによって二重床を構成してもよい。
【図面の簡単な説明】
【００２５】
【図１】床下地構造を備えた二重床の断面図（最良の形態１）。
【図２】床パネル及び支持脚の配置例を示す平面図（最良の形態１）。
【図３】床下地構造を備えた二重床の断面図（最良の形態２）。
【図４】床パネル及び支持脚の配置例を示す平面図（最良の形態２）。
【図５】（ａ）は補強材の斜視図、（ｂ）は補強材を取付けた床下地構造を示す断面図、（ｃ）は（ｂ）のＡ−Ａ断面図（最良の形態５）。
【図６】補強材付きの床パネルを示す図（最良の形態６）。
【図７】紙によるハニカム構造の補強材を示す斜視図（最良の形態７）。
【図８】補強材と床パネルの縁部との取付例を示す図。
【符号の説明】
【００２６】
１  床下地構造、２  床スラブ、３  支持脚、４Ａ  壁際床パネル（床パネル）、
６  壁際床パネルの壁側端面、７Ａ  壁際床パネルの下面、１０  壁面、
１１  壁側床パネルの壁面近傍部分、１２  補強材。
【図１】
2009091731.tif 000003
【図２】
2009091731.tif 000004
【図３】
2009091731.tif 000005
【図４】
2009091731.tif 000006
【図５】
2009091731.tif 000007
【図６】
2009091731.tif 000008
【図７】
2009091731.tif 000009
【図８】
2009091731.tif 000010